(57)【要約】 【課題】  コピー機や複合機等のスキャナで原稿を読み取った際に、その原稿が放置される場合があるが、原稿を放置したユーザを特定できない。【解決手段】  ユーザによる読取指示を受けて原稿を読み取る読取手段と、  前記原稿が以前にも前記読取手段で読み取られていた場合に、前記原稿の読み取り指示を行ったユーザを特定するための情報を読出す手段を有する。【選択図】  図７
2012049979.tif 000002
【特許請求の範囲】
【請求項１】
ユーザによる読取指示を受けて原稿を読み取る読取手段と、
前記原稿が以前にも前記読取手段で読み取られていた場合に、前記原稿の読み取り指示を行ったユーザを特定するための情報を読出す手段と、
を有することを特徴とする装置。
【請求項２】
ユーザによる読取指示を受けて原稿を読み取り、前記読み取りの結果に含まれるコードから情報を抽出する抽出手段と、
前記抽出された情報と同じ情報が以前に抽出されたことがあるか判定する判定手段と、
以前に同じ情報が抽出されたことがあると判定された場合に、前記同じ情報が抽出された際の読取指示を行ったユーザを特定するための情報を、読取指示を行ったユーザを特定するための情報と抽出した情報とを関連付けて保持しているログから読出す読出手段とを有することを特徴とする装置。
【請求項３】
ユーザによる読取指示を受けて原稿を読み取る読取工程と、
前記原稿が以前にも前記読取手段で読み取られていた場合に、前記原稿の読み取り指示を行ったユーザを特定するための情報を読出す工程と、
を有することを特徴とする方法。
【請求項４】
請求項３に記載の方法をコンピュータに実行させるためのコンピュータよみとり可能なプログラム。
【発明の詳細な説明】
【技術分野】
【０００１】
本発明は、原稿を放置したユーザを特定可能な装置、方法、プログラムに関するものである。
【背景技術】
【０００２】
近年、企業内では情報の漏洩防止などに対して様々なセキュリティー対策が行われている。
【０００３】
大切な情報のひとつとして、企業の大切な情報が記載された原稿や印刷物が挙げられるが、このような原稿や印刷物が複合機やプリンタ等のオフィス機器に放置されたままになってしまうことも問題となっている。
【０００４】
放置された印刷物において、印刷したユーザを特定できる情報（以下、追跡情報と称す）が含まれていればそのユーザに手渡すことが可能である。
【０００５】
特許文献１によれば、印刷物に印刷を指示したユーザのユーザ情報を含む追跡情報を２次元バーコード等を用いて付加し印刷する機能がある。この機能によって出力された印刷物がユーザの取り忘れにより放置されていた場合、その印刷物の追跡情報をスキャナで読み取ることによってユーザ情報を抽出し、操作画面等に表示することによって印刷したユーザを特定することが可能となっている。
【０００６】
このような技術によって、放置された印刷物からの情報漏洩リスクを低減することが可能となっている。
【先行技術文献】
【特許文献】
【０００７】
【特許文献１】特開２００７−１９７２２
【発明の概要】
【発明が解決しようとする課題】
【０００８】
ここで、コピー機や複合機等のスキャナに原稿を読み取らせたユーザがその原稿を放置してしまう場合を考えて欲しい。このような場合、放置された原稿に含まれるユーザの情報は、実際に原稿の読み取り指示を行ったユーザと一致しないケースが往々にしてある。例えば、ユーザＡが印刷した印刷物（原稿）をユーザＢに渡し、そのユーザＢがその原稿をスキャナに読み取らせた場合などである。この場合、ユーザＡが印刷した印刷物（原稿）に付加された追跡情報にはユーザＡの情報が含まれており、その印刷物（原稿）の読み取り指示を行ったユーザはユーザＢであり、両者は異なっている。
【０００９】
従って、上記背景技術に記載した参考文献１の技術では、コピー機や複合機に原稿を放置したユーザを特定することができないという課題がある。
【課題を解決するための手段】
【００１０】
ユーザによる読取指示を受けて原稿を読み取る読取手段と、
前記原稿が以前にも前記読取手段で読み取られていた場合に、前記原稿の読み取り指示を行ったユーザを特定する情報を読出す手段と、
を有することを特徴とする装置。
【発明の効果】
【００１１】
取り忘れた原稿の放置を抑止し、情報露営のリスクを低減することが可能となる。
【図面の簡単な説明】
【００１２】
【図１】実施例におけるＭＦＰ３００１のブロック図。
【図２】実施例におけるＭＦＰ３００１の原稿の作成処理を示すフローチャート。
【図３】実施例における１つのバーコードが含まれている原稿画像の一例
【図４】実施例におけるＭＦＰ３００１が保持するジョブログの情報内容を示す図
【図５】実施例における原稿追跡の開始画面を示す一例。
【図６】実施例における原稿追跡の結果画面を示す一例。
【図７】実施例におけるＭＦＰ３００１が実行する制御の流れを示すフローチャート。
【発明を実施するための形態】
【００１３】
以下、本発明を実施するための最良の形態について図面を用いて説明する。
【実施例１】
【００１４】
本実施例では、バーコードを利用する形態（即ち、バーコードを原稿画像に合成して印刷する形態、及び、その印刷により得られた原稿を読み取り動作を制御する形態）を例として説明を行うこととする。
【００１５】
また、本実施例では、バーコードとしてＱＲコードを使用し、原稿の一面に対して１つのＱＲコードが付加されることとする。
【００１６】
まず、原稿に追跡情報としてのＱＲコードを付加する処理について説明する。
始めに、追跡情報を符号化することで埋め込み情報を得る。２番目に、埋め込み情報を画像化することでバーコードを生成する。３番目に、バーコードと原稿画像を合成し、バーコードの合成された原稿画像を生成する。最後に、バーコードの合成された原稿画像を印刷する。これにより、追跡情報がバーコードで付加された原稿が作成される。この一連の処理を、追跡情報の「付加」と呼ぶ。なお、追跡情報を符号化し、画像化する処理（これにより、バーコードが生成されることになる）のことを、追跡情報の「バーコード化」と称することにする。
【００１７】
次に、追跡情報がＱＲコードで付加された原稿から追跡情報を抽出する処理について説明する。始めに、原稿台の上、または、ＡＤＦ（Ａｕｔｏ  Ｄｏｃｕｍｅｎｔ  Ｆｅｅｄｅｒ）に置かれたその原稿を読み取り、原稿画像を生成する。２番目に、その原稿画像からＱＲコードを見つけ出す。３番目に、見つけ出したＱＲコードを情報化して埋め込み情報を得る。４番目に、埋め込み情報を復号化して追跡情報を得る。これにより、追跡情報がＱＲコードで付加された原稿から、追跡情報を得ることができる。この一連の処理における２番目以降の処理を、追跡情報の「抽出」と呼ぶ。
【００１８】
以下、図１を参照して本発明の第１の実施例におけるネットワーク複合機ＭＦＰ３００１の構成について詳細に説明する。ここで、図１は、本実施の形態に係るＭＦＰ３００１の構成を例示するブロック図である。
【００１９】
制御部１は、ＭＦＰ３００１の各ユニットの動作制御をおこなう箇所である。この制御部１は、ＣＰＵ（Ｃｅｎｔｒａｌ  Ｐｒｏｃｅｓｓｉｎｇ  Ｕｎｉｔ）を有している（ここでは図示しない）。また、制御部１は、追跡情報の復号化も行う。
【００２０】
操作部５は、ＭＦＰ３００１に対するユーザからの操作入力を受け付ける箇所である。
【００２１】
ユーザ認証部６は、ＭＦＰ３００１を使用するユーザの認証に必要な情報を管理する箇所である。ユーザ認証部６の詳細な動作については後述する。
【００２２】
読取部２は、上述の原稿を読み取ることで（例えば、スキャンし）、その原稿の原稿画像の生成を行う箇所である。なお、原稿が印刷物等の紙文書であるのに対して、原稿画像はデジタルのデータである。
【００２３】
情報化部３は、上述の原稿画像からＱＲコードを見つけ出して情報化を行う箇所である。
メモリ７は、原稿画像を記憶する箇所である。
出力部８は、メモリ７から原稿画像を読み出した後、原稿画像の印刷、または、原稿画像の外部装置への送信等の出力を行う箇所である。ここで外部装置とは、ＭＦＰ３００１とネットワークを介して接続されているＰＣ等を指す。
【００２４】
表示部９は、制御部１の制御により表示画面の表示を行う箇所である。
データベース１０は、ＭＦＰ３００１の印刷設定、ジョブログ、画像ログ等を記録する箇所である。
エンコード部１１は、上述の符号化と画像化を行う箇所である。
【００２５】
次に、追跡情報を付加したい場合にユーザが行う手続き、それに応じてＭＦＰ３００１が行う処理について説明する。
原稿に追跡情報を付加したいユーザは、まず、表示部９に表示されるユーザ認証画面（ここでは図示しない）を見ながら、ユーザＩＤ及びパスワードを、操作部５を介して入力する。操作部５を介して入力された情報は、操作部５からユーザ認証部６に送られる。ユーザ認証部６は、管理している情報に従って、入力されたパスワードが適切なパスワードであるか判断する。判断の結果、パスワードが適切なパスワードである場合に、ユーザ認証部６は、適切なパスワードであるという旨とユーザＩＤを制御部１に送信する。適切なパスワードであるという旨とユーザＩＤを受信した制御部１は、表示部９に、追跡情報を付加するべきかをユーザに問うチェックボックスを表示する（ここでは図示しない）。ユーザが、操作部５からチェックボックスに対してチェックをした場合は、追跡情報が印刷対象の原稿に付加されることになる。一方、チェックしなかった場合は追跡情報が印刷対象の原稿に付加されないことになる。
【００２６】
なお、一連の操作で作成された原稿にはすべて同じ追跡情報が付加されることになる。ここで、一連の操作とは、原稿台やＡＤＦに置かれた原稿群を一度の複写指示で複写することである。
【００２７】
よって、例えば、ユーザが元の原稿（例えば、４枚。）をＡＤＦに置いて３部複写する指示をＭＦＰ３００１にした場合、作成された３部の複写された原稿（つまり、１２枚。）は一連の操作で複写されたものとなり、その３部の複写された原稿にはすべて同じ追跡情報が付加されることとなる。
【００２８】
また、追跡情報を付加するための入力は、ＭＦＰ３００１と接続されているＰＣのドライバやユーティリティ上からできてもよい。
【００２９】
次に、ＱＲコードを付加した原稿の作成方法について図２を参照して詳細に説明する。ここで、図２は、ＭＦＰ３００１の原稿の作成処理を示すフローチャートである。
【００３０】
制御部１は、操作部５が表示する追跡情報付加の有無を選択するチェックボックスがチェックされているかを判断する（Ｓ１０１）。
【００３１】
Ｓ１０１において、制御部１は、チェックボックスがチェックされていると判断した場合、特定の追跡情報をエンコード部１１に送信する（Ｓ１０２）。ここで、特定の追跡情報とは、原稿作成を行うユーザのユーザＩＤ、タイムスタンプ、原稿作成を行う装置を識別する情報（シリアルＮｏ．等）を含んでいる。
【００３２】
次に、読取部２は、原稿を読み取ることで原稿画像を生成し、メモリ７と情報化部３に送信する（Ｓ１０３）。
【００３３】
次に、エンコード部１１は、追跡情報を符号化、および、画像化することでＱＲコードを生成する。さらに、エンコード部１１は、当該ＱＲコードをメモリ７に送信する（Ｓ１０４）。
【００３４】
次に、制御部１は、メモリ７がＱＲコードと原稿画像を受け取ったことを検知すると、メモリ７において、ＱＲコードと原稿画像を合成してＱＲコードの合成された原稿画像を生成する（Ｓ１０５）。図３は、ＱＲコードを合成したときの原稿画像の一例である。原稿３０１に対して、追跡情報を持つＱＲコード３０２が付加されていることを示している。
【００３５】
次に、制御部１は、ＱＲコードの合成された原稿画像をメモリ７から出力部８に送信し、出力部８に原稿画像を出力させる（Ｓ１０６）。出力部８が原稿画像を出力する方法としては、例えば、原稿画像の印刷等がある。
【００３６】
なお、チェックボックスにチェックがされていない場合、読取部２は、原稿を読み取って原稿画像を生成し、メモリ７に送信する（Ｓ１０７）。
【００３７】
次に、制御部１は、メモリ７が原稿画像を受け取ったことを検知すると、原稿画像をメモリ７から出力部８に送信して、出力部８に原稿画像を出力させる（Ｓ１０８）。
【００３８】
次に、追跡情報が付加された原稿をＭＦＰ３００１が読み取ることにより、前記原稿が以前にも読み取られていた場合における読取指示を行ったユーザを、ジョブログを用いて特定する動作について詳細に説明する。
【００３９】
まず、ジョブログの内容について図４を用いて詳細に説明する。
図４（ａ）は、ＭＦＰ３００１のデータベース１０に保存されているジョブログの内容を示す一例である。
【００４０】
ジョブＩＤ４０１は、ジョブログの１レコードをユニークに識別するための識別子である。タイムスタンプ４０２は、ジョブが実行された時刻を示す。操作種別４０３は、コピー操作や送信操作等のジョブの種別を示す。ユーザＩＤ４０４は、ジョブの操作指示（読取指示等）を行ったユーザのユーザＩＤを示す。追跡情報４０５は、原稿を読み取った際に原稿に付加されていたＱＲコードに含まれる追跡情報であり、その詳細は図４（ｂ）に示す。
【００４１】
図４（ｂ）は、図４（ａ）における追跡情報４０５の内容を示す一例であり、この例では２枚の原稿に付加されていた追跡情報を示している。
【００４２】
ページ番号４０６は、原稿を読み取った際に割り当てられるページ番号を示しており、さらに、追跡情報に含まれるタイムスタンプ４０７、ユーザＩＤ４０８、装置情報４０９（例えば装置のシリアルＮｏ．）が、ジョブログとして記録されている。
【００４３】
次に本実施例における動作について、図４、図５、図６、及び、図７のフローチャートを用いて詳細に説明する。
【００４４】
操作部５より「原稿追跡」が指示された場合に、表示部９は図５に示す原稿追跡画面５０１に遷移する。原稿追跡画面５０１における読取サイズ５０２は、原稿のサイズを明示的に指定するためのボタンである。キャンセル５０３は原稿追跡を中止し、原稿追跡画面５０１から抜けるためのボタンである。追跡スタート５０４は、原稿追跡を開始するためのボタンであり、ユーザが、原稿台、あるいは、ＡＤＦに原稿をセットし、追跡スタート５０４を押下することにより、制御部１は読取部２を制御して原稿読み取りを開始する（Ｓ７０１）。次に制御部１は情報化部３を制御して原稿に付加されているＱＲコードを復号化し、追跡情報の抽出を試みる（Ｓ７０２）。次に制御部１は情報化部１の復号化の結果として、原稿の追跡情報が抽出できたかを判断（本実施例では、判断＝判定である。）する（Ｓ７０３）。制御部１が追跡情報を抽出したと判断した場合は、抽出した追跡情報と同一の追跡情報が記録されているジョブログのレコードをデータベース１０から検索する（Ｓ７０４）。次に、制御部１は検索の結果として追跡情報が一致するジョブログのレコードを発見したかを判断する（Ｓ７０５）。制御部１が読み取った原稿の追跡情報と一致する追跡情報を持つジョブログのレコードを発見したと判断した場合は、発見したレコードのユーザＩＤ、タイムスタンプを取得（即ち、読出）し（Ｓ７０６）、取得結果を図６（ａ）、図６（ｂ）に示す画面として表示部９に表示する（Ｓ７０７）。
【００４５】
図６（ａ）は、図４（ａ）に示すジョブログの追跡情報Ｂに含まれる情報と一致する情報を持つ原稿を読み取った場合の追跡結果画面６０１の例である。結果としてフィールド６０２にユーザＩＤが「ＢＢＢＢ」である情報が表示され、以前にユーザＩＤ「ＢＢＢＢ」を持つユーザが同一の原稿の読み取り指示を行ったことがわかる。また、図６（ｂ）は図４（ａ）に示すジョブログの追跡情報Ａに含まれる情報と一致する情報を持つ原稿を読み取った場合の追跡結果画面６０１の例である。結果としてフィールド６０２にユーザＩＤが「ＡＡＡＡ」と「ＣＣＣＣ」である情報が表示され、以前にユーザＩＤ「ＡＡＡＡ」あるいは「ＣＣＣＣ」を持つユーザが同一の原稿の読み取り指示を行ったことがわかる。
【００４６】
このようにオフィス機器に放置されている原稿を読み読み取ることにより、原稿を放置したユーザ（の候補）を特定することが可能となる。
【００４７】
次に制御部１は図６に示す追跡結果画面６０１において、ユーザが選択され、メール通知６０３が押下されたか否かを判断する（Ｓ７０８）。メール通知６０３が押下された場合、制御部１は選択されたユーザに対して原稿が放置されている旨のメールを送信する（Ｓ７１１）。また、さらに、新規追跡６０４が押下されたか、あるいは、終了６０５が押下されたかを判断し（Ｓ７０９）、新規追跡６０４が押下された場合は、Ｓ７０１へ戻る。終了６０５が押下された場合は動作を終了する。なお、Ｓ７０３において追跡情報が抽出できなかった場合、或いは、Ｓ７０５において、ジョブログから目的のレコードを発見できなかった場合は、追跡結果画面６０１にユーザが特定できなかった旨を表示し（Ｓ７１０）、Ｓ７０９へ進む。
【００４８】
以上、説明したように、本実施例では、追跡情報が付加された原稿をＭＦＰ３００１が読み取ることにより、前記原稿が以前にも読み取られていた場合における読み取り指示を行ったユーザを、ジョブログを用いて特定することが可能となる。その効果として、オフィス機器に放置された原稿の持ち主を特定することが可能となる。
【００４９】
なお、本実施例ではユーザを特定するための情報として、ユーザＩＤを用いたが、そのユーザの本名、住所等、ユーザの特定に繋がる情報であれば何でも良い。
【００５０】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００５１】
１  制御部
２  読取部
３  情報化部
５  操作部
６  ユーザ認証部
７  メモリ
８  出力部
９  表示部
１０  データベース
１１  エンコード部
【図１】
2012049979.tif 000003
【図２】
2012049979.tif 000004
【図３】
2012049979.tif 000005
【図４】
2012049979.tif 000006
【図５】
2012049979.tif 000007
【図６】
2012049979.tif 000008
【図７】
2012049979.tif 000009